(57)【要約】【課題】毛髪に抗酸化作用を有する遷移金属の微粒子を供給することで、活性酸素によるダメージから毛髪を保護できるヘアードライヤーを提供する。【解決手段】空気の吸入口１および吐出口２が配置される本体ケース３を有し、本体ケース３内には、吸入口１から吸入された空気を吐出口２から吐出させる送風部４と、送風部４の下流側に空気を加熱する加熱部５と、を備え、本体ケース３の所定の場所には、遷移金属を含んだ一対の電極６の間に放電を形成して遷移金属を微粒子化する放電部７と、放電部７を内蔵するとともに放電部７において生成された遷移金属の微粒子が流れる微粒子流路８と、微粒子を放出する微粒子放出口９とを設けるようにした。【選択図】図１
2008023063.tif 000002
【特許請求の範囲】
【請求項１】
空気の吸入口および吐出口が配置される本体ケースを有し、本体ケース内には、吸入口から吸入された空気を吐出口から吐出させる送風部と、送風部の下流側に空気を加熱する加熱部と、を備え、本体ケースの所定の場所には、遷移金属を含んだ一対の電極の間に放電を形成して遷移金属を微粒子化する放電部と、放電部を内蔵するとともに放電部において生成された遷移金属の微粒子が流れる微粒子流路と、微粒子を放出する微粒子放出口と、を設けたヘアードライヤー。
【請求項２】
送風部から微粒子流路に空気を導入する導入路を備え、導入された空気により、微粒子を微粒子放出口から放出するようになした請求項１記載のヘアードライヤー。
【請求項３】
本体ケースの所定の場所に、ミストを生成するミスト生成部と、ミスト生成部を内蔵するとともに生成されたミストが流れるミスト流路と、ミストを放出するミスト放出口と、を設け、ミスト放出口から放出されるミストと、微粒子放出口から放出される微粒子とが、毛髪の略同一部位に向けて放出されるようにミスト放出口および微粒子放出口を配置した請求項１または２記載のヘアードライヤー。
【請求項４】
微粒子流路とミスト流路とを合流する合流路を備え、合流部の下流側において、ミスト放出口と微粒子放出口とを兼用するようになした請求項３記載のヘアードライヤー。
【請求項５】
ミスト生成部の下流側に放電部を設け、ミスト流路と微粒子流路とを兼用するとともに、ミスト放出口と微粒子放出口とを兼用するようになした請求項３記載のヘアードライヤー。
【請求項６】
ミストは、スチームミストからなる請求項３から５のいずれか１項に記載のヘアードライヤー。
【請求項７】
ミスト流路内に、マイナスイオン発生部を設けた請求項３から６のいずれか１項に記載のヘアードライヤー。
【請求項８】
遷移金属は、貴金属から構成される請求項１から７のいずれか１項に記載のヘアードライヤー。
【請求項９】
貴金属は、白金からなる請求項１から８のいずれか１項に記載のヘアードライヤー。
【請求項１０】
電極は、少なくとも金または銀または銅のいずれかを含んだ請求項１から９のいずれか１項に記載のヘアードライヤー。
【請求項１１】
電極の間には、少なくとも一つの中間電極を配置した請求項１から１０のいずれか１項に記載のヘアードライヤー。
【発明の詳細な説明】
【技術分野】
【０００１】
本願発明は、温風や冷風を吐出して毛髪の乾燥やセット等を行うヘアードライヤーに関する。
【背景技術】
【０００２】
ヘアードライヤーにおいては、空気の吸入口および吐出口が配置される本体ケースを有しており、前記本体ケース内には、吸入口から吸入された空気を吐出口から吐出させる送風部と、この送風部の下流側において空気を加熱する加熱部とを備えている。
【０００３】
上記本体ケースにおいては、マイナスイオン発生装置が設けられていて、毛髪に対して温風や冷風とともにマイナスイオンを供給することで、毛髪の痛みを防止するとともに、静電気の発生を防止するようにしている（特許文献１）。
【特許文献１】特開２００３−５９６２２号公報
【発明の開示】
【発明が解決しようとする課題】
【０００４】
しかしながら、前記背景技術の特許文献１に記載のヘアードライヤーにおいては、例えば毛髪に対して日光に含まれる紫外線が照射された場合に、その紫外線の影響により発生した活性酸素による毛髪へのダメージを防止する、いわゆる抗酸化作用を有することが困難であった。
【０００５】
本願発明はこのような上記背景技術の課題を解決するものであり、毛髪に抗酸化作用を有する遷移金属の微粒子を供給することで、活性酸素によるダメージから毛髪を保護できるヘアードライヤーを提供することを目的とする。
【課題を解決するための手段】
【０００６】
上記課題を解決するために、本願請求項１記載の発明は、空気の吸入口および吐出口が配置される本体ケースを有し、本体ケース内には、吸入口から吸入された空気を吐出口から吐出させる送風部と、送風部の下流側に空気を加熱する加熱部と、を備え、本体ケースの所定の場所には、遷移金属を含んだ一対の電極の間に放電を形成して遷移金属を微粒子化する放電部と、放電部を内蔵するとともに放電部において生成された遷移金属の微粒子が流れる微粒子流路と、微粒子を放出する微粒子放出口と、を設けたことを特徴としている。
【０００７】
本願請求項２記載の発明は、送風部から微粒子流路に空気を導入する導入路を備え、導入された空気により、微粒子を微粒子放出口から放出するようになしたことを特徴としている。
【０００８】
本願請求項３記載の発明は、本体ケースの所定の場所に、ミストを生成するミスト生成部と、ミスト生成部を内蔵するとともに生成されたミストが流れるミスト流路と、ミストを放出するミスト放出口と、を設け、ミスト放出口から放出されるミストと、微粒子放出口から放出される微粒子とが、毛髪の略同一部位に向けて放出されるようにミスト放出口および微粒子放出口を配置したことを特徴としている。
【０００９】
本願請求項４記載の発明は、微粒子流路とミスト流路とを合流する合流路を備え、合流部の下流側において、ミスト放出口と微粒子放出口とを兼用するようになしたことを特徴としている。
【００１０】
本願請求項５記載の発明は、ミスト生成部の下流側に放電部を設け、ミスト流路と微粒子流路とを兼用するとともに、ミスト放出口と微粒子放出口とを兼用するようになしたことを特徴としている。
【００１１】
本願請求項６記載の発明は、ミストは、スチームミストからなることを特徴としている。
【００１２】
本願請求項７記載の発明は、ミスト流路内に、マイナスイオン発生部を設けたことを特徴としている。
【００１３】
本願請求項８記載の発明は、遷移金属は、貴金属から構成されることを特徴としている。
【００１４】
本願請求項９記載の発明は、貴金属は、白金からなることを特徴としている。
【００１５】
本願請求項１０記載の発明は、電極は、少なくとも金または銀または銅のいずれかを含んだことを特徴としている。
【００１６】
本願請求項１１記載の発明は、電極の間には、少なくとも一つの中間電極を配置したことを特徴としている。
【発明の効果】
【００１７】
本願請求項１記載のヘアードライヤーにおいては、放電部において生成された遷移金属の微粒子を、微粒子放出口から放出して毛髪に供給することで、活性酸素によるダメージから毛髪を保護することができるヘアードライヤーを提供できる。
【００１８】
本願請求項２記載のヘアードライヤーにおいては、放電部において生成された遷移金属の微粒子を、導入路から導入された空気の流れに乗せて微粒子放出口から放出できるために、上記微粒子を安定して放出することができる。
【００１９】
本願請求項３記載のヘアードライヤーにおいては、放出された遷移金属の微粒子が毛髪に到達する前に、同様に放出されたミストと接触するために、微粒子を核としたミストが形成され、このミストが毛髪に供給されるために、微粒子の毛髪への付着性を向上することができる。
【００２０】
本願請求項４記載のヘアードライヤーにおいては、微粒子が放出される前にミストと接触することができるために、放出された微粒子をより確実に毛髪に付着させることができる。
【００２１】
本願請求項５記載のヘアードライヤーにおいては、ミスト流路と微粒子流路とを兼用するとともに、ミスト放出口と微粒子放出口とを兼用することで、ヘアードライヤーの小型化を図ることができるとともに、微粒子が生成された直後直ちにミストと接触することができるために、放出された微粒子をさらに確実に毛髪に付着させることができる。
【００２２】
本願請求項６記載のヘアードライヤーにおいては、生成されるミストの粒径を小さくすることができるために、微粒子と接触して微粒子を核としたミストの粒径も小さくなるために、ミストが毛髪に浸透しやすくなるとともに、微粒子の毛髪への付着性を著しく高めることができる。
【００２３】
本願請求項７記載のヘアードライヤーにおいては、生成されたミストにマイナスイオンが付着することにより、ミストがマイナスに帯電するため、プラスに帯電しやすい毛髪への微粒子を核としたミストの付着性をより著しく高めることができる。
【００２４】
本願請求項８記載のヘアードライヤーにおいては、電極に含まれる遷移金属を貴金属とすることにより、抗酸化作用をより高めることができる。
【００２５】
本願請求項９記載のヘアードライヤーにおいては、貴金属の中でも白金を用いることにより、抗酸化作用をさらに高めることができる。
【００２６】
本願請求項１０記載のヘアードライヤーにおいては、毛髪に対して抗菌作用を付加することができる。
【００２７】
本願請求項１１記載のヘアードライヤーにおいては、電極と中間電極との間に複数の放電を発生させることができるために、放電部で生成される微粒子の量を増加することができるとともに、放電を効率よく形成できるため、放電に必要な電力を削減することができる。
【発明を実施するための最良の形態】
【００２８】
図１、２は、本願発明の第１の実施形態であるヘアードライヤーを示している。このヘアードライヤーは、図１、２に示すように、空気の吸入口１および吐出口２が配置される本体ケース３を有し、本体ケース３内には、吸入口１から吸入された空気を吐出口２から吐出させる送風部４と、送風部４の下流側に空気を加熱する加熱部５と、を備え、本体ケース３の所定の場所には、遷移金属を含んだ一対の電極６の間に放電を形成して遷移金属を微粒子化する放電部７と、放電部７を内蔵するとともに放電部７において生成された遷移金属の微粒子が流れる微粒子流路８と、微粒子を放出する微粒子放出口９とを設けている。
【００２９】
また、送風部４から微粒子流路８に空気を導入する導入路１０を備え、導入された空気により、微粒子を微粒子放出口９から放出している。
【００３０】
また、上記遷移金属は、好ましくは貴金属であり、さらに好ましくは白金から構成されている。
【００３１】
さらに、電極６は、少なくとも金または銀または銅のいずれかを含んでおり、この電極６の間には、少なくとも一つの中間電極１１を配置している。
【００３２】
以下、この実施形態のヘアードライヤーを、より具体的詳細に説明する。図１に示すように、ヘアードライヤーの本体ケース３があり、この本体ケース３内には空気流路１１ａが形成されている。
【００３３】
次に、本体ケース３の両側部には、空気を吸入する吸入口１と、吸入された空気を吐出する吐出口２とがそれぞれ配置されている。吐出口２は、格子形（図示せず）に形成されており、使用者の指等が誤って本体ケース３内に挿入されることを防止している。
【００３４】
上記本体ケース３内の吸入口１には、モータ１２とモータ１２に接続されたファン１３とを内蔵する送風部４が配置されており、その送風部４の下流側には、ヒータ１４を内蔵した加熱部５が設けられている。
【００３５】
次に、加熱部５の下流側であって本体ケース３の上側には、カバー１５が設けられており、このカバー１５内には、一対の電極６と、前記電極６の間に配置された中間電極１１とから構成された放電部７が収納されていて、放電部７の下流側には、放電部７で生成された遷移金属の微粒子が流れる微粒子流路８が形成され、微粒子流路８の先端には、微粒子が放出される微粒子放出口９が設けられている。
【００３６】
上記電極６は、放電部７の両側部より放電部７の内側に向かって略水平方向に突出して配置されており、一方中間電極１１は、放電部７の下部より電極６の先端部分の間に立設されている。
【００３７】
電極６および中間電極１１は、それぞれ電極ホルダ１６によって放電部７の内側に固定されている。また、それぞれの電極６にはリード線１７が接続されており、このリード線１７は、高電圧発生部１８に接続されている。
【００３８】
ここで、少なくとも一方の電極６には、遷移金属が含まれており、その遷移金属としては、金、ニッケル、白金、ロジウム、パラジウム、イリジウム、ルテニウム、またはオスミウム等が用いられている。
【００３９】
また、上記遷移金属は貴金属であることが好ましく、この場合、貴金属としては、金、白金、ロジウム、パラジウム、イリジウム、ルテニウム、またはオスミウム等が用いられており、前記貴金属のうち、特に好ましい貴金属としては、白金、ロジウム、パラジウム、またはルテニウムが用いられる。さらに上記貴金属の中で白金を用いることにより、最も高い抗酸化作用を得ることができる。
【００４０】
一方、電極６に金、銀または銅を含むようにすれば、抗酸化作用に加えて、抗菌効果を示すことが可能となる。また、中間電極１１についても、上記に示したいずれの金属を含むようにしてもよいが、特に好ましくは白金を含むようにすれば、最も高い抗酸化作用を得ることができる。
【００４１】
そして、電極６または中間電極１１において、上記の金属が含まれない部分は、例えばステンレスやタングステン等を用いることが可能である。
【００４２】
次に、本体ケース３の下側には、使用者が把持するハンドル部１９が設けられており、このハンドル部１９内には、制御部２０が配置されている。前記制御部２０には制御部２０や放電部７に高電圧を付加する高電圧発生部１８に電源を供給する電源コード２１が接続されている。
【００４３】
制御部２０の側部には、使用者がヘアードライヤーの駆動または停止を操作するスイッチ２２が設けられている。
【００４４】
以上の構成において、本願発明の第１の実施形態におけるヘアードライヤーの動作を図１、２を用いて説明する。
【００４５】
使用者が、本体ケース３の下側に設けられたハンドル部１９を把持してスイッチ２２をオンにすると、送風部４においてモータ１２が駆動され、モータ１２に接続されたファン１３が回転する。
【００４６】
ファン１３が回転すると吸入口１より空気が吸入され、吸入された空気は送風部４の下流側に設けられた加熱部５を通過するが、スイッチ２２がオンにされると、加熱部５内のヒータ１４が駆動されるため、過熱部５を通過する空気は過熱された後、空気流路１１ａを流れて吐出口２より外部に吐出される。
【００４７】
次に、空気流路１１ａを流れる空気の一部は、本体ケース３の上部に設けられた導入路１０より、カバー１５内に配置された放電部７を通過する。ここで、スイッチ２２がオンにされると、放電部７に配置された一対の電極６が接続された高電圧発生部１８において発生した高電圧が電極６に印加され、各々の電極６と中間電極１１との間に放電が形成される。
【００４８】
上記放電が形成されると、放電のエネルギーにより、電極６または中間電極１１の一部が微粒子化されて微粒子が生成する。このとき、生成された微粒子には、上記の遷移金属のいずれかが含まれている。
【００４９】
このとき、中間電極１１は電気的に浮いた状態にあり、各々の電極６と中間電極１１との間の距離は、電極６の間の距離より短いために、放電に必要な絶縁破壊電圧が低下する。このため、電極６間に電圧を印加する場合よりも、低い電圧で放電を形成することができるために、放電形成に必要な電力を減少することができる。
【００５０】
また、放電が形成される場所が、各々の電極６と中間電極１１の間の２箇所となるために、上記微粒子の単位時間あたりの生成量を向上することができる。
【００５１】
生成された微粒子は、導入路１０から導入された空気とともに微粒子流路８を通過した後、微粒子放出口９より放出されて毛髪に供給される。毛髪に供給された微粒子は上記遷移金属を含むために抗酸化作用を有しており、紫外線の照射によって毛髪で発生した活性酸素を分解して、毛髪のダメージを防止している。
【００５２】
このとき、上記遷移金属が白金、ロジウム、パラジウム、またはルテニウムからなる貴金属である場合は、抗酸化作用が高くなり、特に白金を用いた場合は、最も高い抗酸化作用を示すことができる。
【００５３】
また、電極６または中間電極１１に金、銀または銅が含まれている場合は、上記抗酸化作用に加えて、毛髪に抗菌作用も付加することができる。
【００５４】
使用者が操作スイッチ２２をオフにすると、高電圧発生部１８が停止して電極６への高電圧印加が停止されることで、電極６または中間電極１１の一部の微粒子化が停止され、ヒータ１４およびモータ１２についても停止されてヘアードライヤーの運転が終了する。
【００５５】
以上のように本願発明の第１の実施形態によれば、放電部７において生成された遷移金属の微粒子を、微粒子放出口９から放出して毛髪に供給することで、活性酸素によるダメージから毛髪を保護できるヘアードライヤーを提供することができる。
【００５６】
また、放電部７において生成された遷移金属の微粒子を、導入路１０から導入された空気の流れに乗せて微粒子放出口９から放出できるために、上記微粒子を安定して放出することができる。
【００５７】
また、電極６または中間電極１１に含まれる遷移金属を白金、ロジウム、パラジウム、またはルテニウムからなる貴金属とすることにより、抗酸化作用をより高めることができ、上記貴金属の中でも白金を用いることにより、抗酸化作用を最も高めることができる。
【００５８】
さらに、各々の電極６と中間電極１１との間に複数の放電を発生させることができるために、放電部７で単位時間当たりに生成される微粒子の量を増加することができるとともに、放電を効率よく形成できるため、放電に必要な電力を削減することができる。
【００５９】
図３、４は、本願発明の第２の実施形態であるヘアードライヤーを示している。ここでは、上記第１の実施形態と相違する事項についてのみ説明し、同様の構成や作用効果等を有するものについては上記第１の実施形態の説明を援用する。
【００６０】
本願発明の第２の実施形態が上記第１の実施形態と異なる部分は、図３、４に示すように、本体ケース３の上部であって、放電部７を収納したカバー１５の側方側に、ミスト生成部２４を収納するとともに、ミスト流路２５とミスト放出口２６とが形成された第２のカバー２３が設けられていることと、第２のカバー２３の後方側、すなわち吸入口１側には、水を貯留したタンク２７が配置されており、タンク２７からミスト生成部２４へ、給水路２８を介して水が供給されるところである。
【００６１】
また、上記ミスト発生部２４は、外側が断熱材２９で覆われており、断熱材２９内には、タンク２７より給水路２８を介して給水された水を加熱するヒータ３０と、ヒータ３０により加熱された水が気化することにより、スチームミストが生成されるスチーム室３１と、前記スチーム室３１に接続されて、生成したスチームミストをミスト流路２５に供給する供給路３２とが設けられている。
【００６２】
さらに、微粒子放出口９とミスト放出口２６の向きは、それぞれ本体ケース３の中心側へ傾斜して配置されている。
【００６３】
上記差異をふまえて、本願発明の第２の実施形態におけるヘアードライヤーの動作について図３、４を用いて説明する。
【００６４】
使用者が、本体ケース３の下側に設けられたハンドル部１９を把持し、スイッチ２２をオンにしてから、放電部７において放電が形成され、この放電のエネルギーにより、電極６または中間電極１１の一部が微粒子化されて微粒子が生成して、微粒子放出口９より放出されるまでは、上記第１の実施形態と同様である。
【００６５】
次に、スイッチ２２がオンにされると、タンク２７に貯留された水が、給水路２８を介してスチーム室３１に給水される。スチーム室３１内では、給水された水がヒータ３０により加熱されて極めて微細なスチームミストが生成され、生成されたスチームミストは、供給路３２よりミスト流路２５に供給された後、ミスト放出口２６より外部へ放出される。
【００６６】
このとき、上記微粒子放出口９とミスト放出口２６は、それぞれの向きが本体ケース３の中心側へ傾斜して配置されているために、放出された微粒子およびミストは、毛髪の同一部位に供給されることになるとともに、互いに混合された結果、微粒子を核としたスチームミストが生成される。
【００６７】
また、スチームミストが微細であるために、微粒子と混合され微粒子を核としたスチームミストについても微細であることから、スチームミストの毛髪への浸透性を高めることができる。
【００６８】
このため、微粒子はスチームミストを介して、毛髪へ確実に付着することができるようになるため、微粒子の抗酸化作用を毛髪に対して効果的に示すことで、毛髪のダメージを確実に防止することができる。
【００６９】
使用者が操作スイッチ２２をオフにすると、高電圧発生部１８が停止して電極６への高電圧印加が停止されることで、電極６または中間電極１１の一部の微粒子化が停止され、ヒータ１４およびモータ１２についても停止されるとともに、ミスト生成部２４のヒータ３０も停止されてヘアードライヤーの運転が終了する。
【００７０】
以上のように本願発明の第２の実施形態によれば、スチームミストにより、微粒子を毛髪へ確実に付着することができるために、微粒子の抗酸化作用を毛髪に対して効果的に示すことで、毛髪のダメージを確実に防止することができる。
【００７１】
図５は、本願発明の第３の実施形態であるヘアードライヤーを示している。ここでは、上記第２の実施形態と相違する事項についてのみ説明し、同様の構成や作用効果等を有するものについては上記第１の実施形態の説明を援用する。
【００７２】
本願発明の第３の実施形態が上記第２の実施形態と異なる部分は、図５に示すように、微粒子流路８とミスト流路２５とが合流する合流路３３が設けられていることと、合流路３３の下流側には、微粒子放出口９とミスト放出口２６とを兼ねる合流放出口３４が配置されているところである。
【００７３】
上記差異をふまえて、本願発明の第３の実施形態におけるヘアードライヤーの動作について図５を用いて説明する。
【００７４】
使用者が、本体ケース３の下側に設けられたハンドル部１９を把持し、スイッチ２２をオンにしてから、放電部７において放電が形成され、この放電のエネルギーにより、電極６または中間電極１１の一部が微粒子化されて微粒子が生成して、微粒子放出口９より放出されるとともに、ミスト生成部２４においてスチームミストが生成され、供給路３２から供給されたスチームミストがミスト流路２５を流れるまでは、上記第２の実施形態と同様である。
【００７５】
次に、微粒子とミストとは、微粒子流路８とミスト流路２５の下流側に設けられた合流路３３により合流され、ここで、微粒子を核としたスチームミストが生成される。この微粒子を核としたスチームミストは、合流放出口３４より放出された後、毛髪に供給される。
【００７６】
このとき生成された微粒子は、そのほとんどがスチームミストと混合されてから毛髪に供給されるために、微粒子の毛髪への付着性がより向上することになる。
【００７７】
また、スチームミストが微細であるために、微粒子と混合され微粒子を核としたスチームミストについても微細であることから、スチームミストの毛髪への浸透性を高めることができる。
【００７８】
使用者が操作スイッチ２２をオフにしてからは、上記第２の実施形態と同様である。
【００７９】
以上のように本願発明の第３の実施形態によれば、微粒子が放出される前にミストと接触することで、ほとんどの微粒子について、微粒子を核としたスチームミストとすることができるために、放出された微粒子をより確実に毛髪に付着させることができる。
【００８０】
図６は、本願発明の第４の実施形態であるヘアードライヤーを示している。ここでは、上記第２の実施形態と相違する事項についてのみ説明し、同様の構成や作用効果等を有するものについては上記第２の実施形態の説明を援用する。
【００８１】
本願発明の第４の実施形態が上記第２の実施形態と異なる部分は、図６に示すように、ミスト生成部２４が放電部７と同様にカバー１５内に収納されており、かつミスト生成部２４は、放電部７の上流側、すなわち導入路１０側に配置されているところである。
【００８２】
上記差異をふまえて、本願発明の第４の実施形態におけるヘアードライヤーの動作について図６を用いて説明する。
【００８３】
使用者が、本体ケース３の下側に設けられたハンドル部１９を把持し、スイッチ２２をオンにしてから、放電部７において放電が形成され、この放電のエネルギーにより、電極６または中間電極１１の一部が微粒子化されて微粒子が生成するまでは、上記第２の実施形態と同様である。
【００８４】
次に、スイッチ２２がオンにされると、タンク２７に貯留された水が、給水路２８を介してスチーム室３１に給水される。スチーム室３１内では、給水された水がヒータ３０により加熱されて極めて微細なスチームミストが生成され、生成されたスチームミストは、導入路１０から導入された空気により、放電部７を通過し、放電部７において生成された微粒子は、通過するスチームミストと混合されて微粒子を核としたスチームミストが生成される。この微粒子を核としたスチームミストは、合流放出口３４より放出された後、毛髪に供給される。
【００８５】
このとき生成された微粒子は、そのほとんどがスチームミストと混合されてから毛髪に供給されるために、微粒子の毛髪への付着性がより向上することになる。
【００８６】
また、ミスト生成部２４が、放電部７と同様にカバー１５に収納されているために、ヘアードライヤーを小型化することができる。
【００８７】
以上のように本願発明の第４の実施形態によれば、放出された微粒子をより確実に毛髪に付着させることができるとともに、ヘアードライヤーを小型化できる。
【００８８】
図７から９は、本願発明の第５の実施形態であるヘアードライヤーを示している。ここでは、上記第２の実施形態と相違する事項についてのみ説明し、同様の構成や作用効果等を有するものについては上記第２の実施形態の説明を援用する。
【００８９】
本願発明の第５の実施形態が上記第２の実施形態と異なる部分は、図７から９に示すように、カバー１５に収納された放電部７とミスト生成部２４との間に、マイナスイオン発生部３５が設けられているところである。
【００９０】
ここで、マイナスイオン発生部３５は、先端が針状に形成された放電極３６と、中央部が下向きの円弧形状に形成された対向電極３７とから構成され、放電極３６および対向電極３７は、それぞれ電極ホルダ１６によりマイナスイオン発生部３５に固定されている。
【００９１】
また、放電極３６および対向電極３７は、それぞれリード線１７により、高電圧発生部１８に接続されている。
【００９２】
上記差異をふまえて、本願発明の第５の実施形態におけるヘアードライヤーの動作について図７から９を用いて説明する。
【００９３】
使用者が、本体ケース３の下側に設けられたハンドル部１９を把持し、スイッチ２２をオンにしてから、放電部７において放電が形成され、この放電のエネルギーにより、電極６または中間電極１１の一部が微粒子化されて微粒子が生成するとともに、ミスト生成部２４においてスチームミストが生成されるまでは、上記第２の実施形態と同様である。
【００９４】
次に、スイッチ２２がオンにされると、マイナスイオン発生部３５では、高電圧発生部１８からリード線１７を介して放電極３６および対向電極３７に印加された高電圧により、放電極３６と対向電極３７との間にコロナ放電が形成されて、マイナスイオンが発生する。
【００９５】
一方、ミスト生成部２４で生成されたスチームミストが、下流側に配置されたマイナスイオン発生部３５を通過する際に、スチームミストとマイナスイオンとが混合されて、マイナスイオン化スチームミストが生成される。
【００９６】
さらに、マイナスイオン化スチームミストがマイナスイオン発生部３５の下流側に配置された放電部７を通過する際に、放電部７で生成された微粒子と接触することで、微粒子を核としたマイナスイオン化スチームミストが生成される。
【００９７】
生成された微粒子を核としたマイナスイオン化スチームミストは、合流路３３を流れた後に、合流放出口３４より放出されて毛髪に供給される。
【００９８】
このとき、毛髪は一般にプラスに帯電しやすい性質を持っているために、微粒子を核としたマイナスイオン化スチームミストは、毛髪に極めて付着しやすく、よって、毛髪に対する抗酸化作用をより確実に維持することができる。また、水分の毛髪への浸透性についても向上することができる。
【００９９】
以上のように本願発明の第５の実施形態によれば、プラスに帯電しやすい毛髪への微粒子を核としたスチームミストをマイナスイオン化することにより、毛髪への付着性を極めて向上することができる。
【０１００】
なお、上記本願発明の実施形態においては、ミストをスチームミストとしたが、例えば水に超音波振動を付与することによりミストを生成させるようにしてもよい。
【図面の簡単な説明】
【０１０１】
【図１】本願発明の第１の実施形態であるヘアードライヤーの内部構造を示す正面図。
【図２】同ヘアードライヤーの放電部の内部構造を示す詳細図。
【図３】本願発明の第２の実施形態であるヘアードライヤーの内部構造を示す平面図。
【図４】同ヘアードライヤーのミスト生成部の内部構造を示す正面詳細図。
【図５】本願発明の第３の実施形態であるヘアードライヤーの内部構造を示す平面図。
【図６】本願発明の第４の実施形態であるヘアードライヤーの内部構造を示す正面図。
【図７】本願発明の第５の実施形態であるヘアードライヤーの内部構造を示す正面図。
【図８】同ヘアードライヤーのマイナスイオン発生部の内部構造を示す正面詳細図。
【図９】同ヘアードライヤーのマイナスイオン発生部の内部構造を示す側面詳細図。
【符号の説明】
【０１０２】
１  吸入口
２  吐出口
３  本体ケース
４  送風部
５  加熱部
６  電極
７  放電部
８  微粒子流路
９  微粒子放出口
１０  導入路
１１  中間電極
２４  ミスト生成部
２５  ミスト流路
２６  ミスト放出口
３３  合流路
３４  合流放出口
３５  マイナスイオン発生部
【図１】
2008023063.tif 000003
【図２】
2008023063.tif 000004
【図３】
2008023063.tif 000005
【図４】
2008023063.tif 000006
【図５】
2008023063.tif 000007
【図６】
2008023063.tif 000008
【図７】
2008023063.tif 000009
【図８】
2008023063.tif 000010
【図９】
2008023063.tif 000011